(57)【要約】      （修正有）【課題】ユーザ本人だけはワンタッチで取り外しすることができるが、他人は取り外しが難しく、ファッション性に優れ、アクセサリー性の高い止め具と、バッグを提供する。【解決手段】リング体２１を具備した連結部２と、リング体２１に挿通可能な形状で一旦挿通すると分解抑止体となる係止体３１を具備した連結部３を備え、係止体３１とリング体２１を所定の嵌め合い操作を行った場合のみ連結部２，３を連結することができ、且つ所定の分離操作を行った場合のみ連結部２，３を分解できる止め具であって、係止部３１の外形の周囲には、リング体１の回転が行われる方向に沿って、嵌め合い及び分離操作を行った場合のみ係止体３１とリング体２１とを連結または分離させることができ、且つこれ以外の操作が行われた場合には連結または分離が抑止される障害部が設けられている。【選択図】図１
2009035262.tif 000002
【特許請求の範囲】
【請求項１】
リング体を具備した第１の連結部と、前記リング体に挿通可能な形状で一旦挿通すると分解抑止体となる係止体を具備した第２の連結部を備え、前記係止体の外形形状と前記リング体の内径の関係から前記係止体と前記リング体を所定の位置から回転して所定の嵌め合い操作を行った場合のみ前記第１及び第２の連結部を連結することができ、且つ所定の分解時の位置から回転して所定の分離操作を行った場合のみ前記第１及び第２の連結部を分解できる止め具であって、
前記係止部の外形の周囲には、前記係止体と前記リング体との回転が行われる方向に沿って、前記嵌め合い及び分離操作を行った場合のみ前記係止体と前記リング体とを連結または分離させることができ、且つこれ以外の操作が行われた場合には連結または分離が抑止される障害部が１箇所または２箇所以上設けられたことを特徴とする止め具。
【請求項２】
前記第１及び第２の連結部が線状体によって知恵の輪状に構成されたことを特徴とする請求項１記載の止め具。
【請求項３】
前記係止部には主柱部が設けられて、該主柱部の一箇所に凹み部が形成され、前記リング体の断面が該凹み部に一部または全部収容されて、ここを所定の位置となる回転の中心として前記リング体を前記係止部周りに回転したときのみ、前記嵌め合い及び分離操作が行えることを特徴とする請求項１または２記載の止め具。
【請求項４】
前記リング体と前記主柱部が互いに逆向きに凸に湾曲した形状を有することを特徴とする請求項１〜３のいずれかに記載された止め具。
【請求項５】
前記係止部と前記主柱部がＴ字状、鏃状、十字状、星型、樹木状、動物状のいずれかの輪郭の外形形状を有していることを特徴とする請求項１〜４のいずれかに記載された止め具。
【請求項６】
被収容物を収容できるバッグ本体と、該バッグ本体を吊り下げるための取っ手を備え、請求項１〜５に記載された止め具の第１及び第２の連結部が前記バッグ本体と前記取っ手にそれぞれ取付けられたことを特徴とするバッグ。
【発明の詳細な説明】
【技術分野】
【０００１】
本発明は、所定の手順で嵌め合い操作または分離操作を講じたときのみ連結または分離することができ、これ以外の操作を講じたのでは連結、分離できないアクセサリー性の高い止め具と、これを取っ手の連結に用いたバッグに関するものである。
【背景技術】
【０００２】
買物用の手提げ袋をはじめとし、その他フォーマルなハンドバックやショルダーバッグなど、従来様々なバッグが使用されている。このほか、人が携帯するバッグではなく、自転車や自動二輪車、自動四輪車等の荷物入れなどとして、車両等に設けられる物入れなどもある。しかし、これらのバッグにおいては、取っ手とバッグ本体の間が取り外し不能であったり、取り外しが可能であってもワンタッチでは取り外しできないものが多数あった。
【０００３】
このため、長さを自由に変更でき、使い勝手がよく、提手本体の止め具及び袋物への取付けもワンタッチで行える提手が提案されている（例えば、特許文献１参照）。この提手は、紙袋の開口縁の両側にそれぞれ取付ける提手であって、細長帯状の提手本体とこの両端に設ける止め具とよりなり、一方の取付片の内側に係止突起を一体的に突設し、他方の取付片に係止突起が係合する係止孔を設け、他方の取付片の外側に対向する開口縁に取付く止め具と結合する１対の嵌め合い突片を突設し、係止突起を提手本体の端部に突き刺して２片の取付片で提手本体１の端部を挟着するものである。
【０００４】
しかし、この提手の使用対象は、紙袋のようなバッグに限定されるもので、車両等に設けられるものではない。このような使用対象に関し、用途に応じてバッグの形態を変化させる目的で、手提げバッグを自転車の荷物入れと兼用できるバッグも提案されている（例えば、特許文献２参照）。このバッグは、自転車の前かご内に収容可能であって、バッグ本体と、バッグ本体の背面部に連設されてバッグ本体の開口を開閉する蓋と、からなり、バッグ本体に止具が設けられ、蓋には止具または自転車の前かごに掛止可能な掛止部材を有するものである。
【０００５】
この構成によれば、手提げバッグを自転車の荷物入れと兼用し、自転車の前かご内に収容することができ、いわゆる引ったくり等の盗難を有効に防止することができる。
【０００６】
しかしながら、このような従来の提手の止め具の大きな問題点の１つは、これを取っ手に用いたとき、バッグのデザイン、利用形態が固定的で、ファッション性と用途に応じた用途対応性がないことである。
【０００７】
この点、一つのハンドバッグに、複数のデザインの止め金具から任意の止め金具をユーザ自身が選択できるようにすることで、使用目的に適したデザインや、その日の気分によって止め金具のデザインを選択する袋物用止め金具も提案されている（例えば、特許文献３）。この止め具は、袋物の蓋に固着する固定体と、止め具本体に着脱自在に係止する係止体とを備え、固定体と係止体とを着脱自在に連結し、係止体にデザインを変えたものを用意するものである。
【０００８】
しかし、この止め具の印象はいかにも金具といった堅苦しい形態のもので、取っ手を含めたバッグ全体のデザインに活力を与えるのは難しく、また、バッグの用途に応じて対応する柔軟性はない。
【０００９】
【特許文献１】特開平８−２８２６８３号公報
【特許文献２】特開２００３−３３９４２１号公報
【特許文献３】特開２０００−１４４３２号公報
【発明の開示】
【発明が解決しようとする課題】
【００１０】
特許文献１に記載された提手は、取っ手とバッグ本体の間の取り外しがワンタッチで行えるが、止め具の構造は長さの調節はできても、取っ手とバッグ本体との取付けに自在性があるものではない。また、アクセサリーとしての性格はなく、デザイン的にみてバッグ全体のデザインを変えるだけの力はなく、ファッション性に欠けるものである。
【００１１】
また、特許文献２に記載されたバッグは、手提げバッグを自転車の荷物入れと兼用し、自転車の前かご内に収容することができ、盗難を防止することができる。しかし特許文献２のバッグも、取っ手（持ち手）とバッグ本体との取付けに自在性があるものではなく、また、アクセサリーとしての性格はないし、ファッション性に欠けるものである。
【００１２】
さらに、特許文献３の止め金具は、一つのハンドバッグに対して複数のデザインの係止体を用意し、ユーザ自身が任意の係止体を選択できるようにするが、止め金具がアクセサリーとして独立した印象を与えることはなく、まさに鍵または金具であり堅苦しい印象を受け、バッグ全体のデザインを左右するものではない。また、バッグの用途に応じて形態を変える用途対応性はない。
【００１３】
そこで、このような課題を解決するために本発明は、ユーザ本人だけはワンタッチで取り外しすることができるが、他人は簡単には取り外しが難しく、しかも洗練された形状で、機能美に満ち、ファッション性に優れ、アクセサリー性の高い止め具と、これを取っ手と本体との間の連結に用いた機能性に優れファッション性が高いバッグを提供することを目的とする。
【課題を解決するための手段】
【００１４】
本発明は、リング体を具備した第１の連結部と、リング体に挿通可能な形状で一旦挿通すると分解抑止体となる係止体を具備した第２の連結部を備え、係止体の外形形状とリング体の内径の関係から係止体とリング体を所定の位置から回転して所定の嵌め合い操作を行った場合のみ第１及び第２の連結部を連結することができ、且つ所定の分解時の位置から回転して所定の分離操作を行った場合のみ第１及び第２の連結部を分解できる止め具であって、係止部の外形の周囲には、係止体とリング体との回転が行われる方向に沿って、嵌め合い及び分離操作を行った場合のみ係止体とリング体とを連結または分離させることができ、且つこれ以外の操作が行われた場合には連結または分離が抑止される障害部が１箇所または２箇所以上設けられたことを主な特徴とする。
【００１５】
また、本発明のバッグは、被収容物を収容できるバッグ本体と、該バッグ本体を吊り下げるための取っ手を備え、上記止め具の第１及び第２の連結部がバッグ本体と取っ手にそれぞれ取付けられたことを主な特徴とする。
【発明の効果】
【００１６】
本発明の止め具によれば、ユーザ本人だけはワンタッチで取り外しすることができるが、他人は簡単には取り外しが難しく、洗練された形状によってファッション性に優れ、アクセサリー性の高い止め具を提供することができる。
【００１７】
また、本発明のバッグによれば、上記止め具を取っ手と本体との間の連結に用いることで、ワンタッチで取っ手を取り外し可能でありながら、引ったくりなどに強く、バッグの用途に応じて形態を変えることが可能で機能性に優れ、ファッション性が高いバッグを提供することができる。
【発明を実施するための最良の形態】
【００１８】
本発明の第１の形態は、リング体を具備した第１の連結部と、リング体に挿通可能な形状で一旦挿通すると分解抑止体となる係止体を具備した第２の連結部を備え、係止体の外形形状とリング体の内径の関係から係止体とリング体を所定の位置から回転して所定の嵌め合い操作を行った場合のみ第１及び第２の連結部を連結することができ、且つ所定の分解時の位置から回転して所定の分離操作を行った場合のみ第１及び第２の連結部を分解できる止め具であって、係止部の外形の周囲には、係止体とリング体との回転が行われる方向に沿って、嵌め合い及び分離操作を行った場合のみ係止体とリング体とを連結または分離させることができ、且つこれ以外の操作が行われた場合には連結または分離が抑止される障害部が１箇所または２箇所以上設けられたことを特徴とする止め具である。この構成によって、ユーザ本人だけはワンタッチで取り外しすることができるが、他人は１箇所以上設けられた障害部のため簡単には取り外しが難しく、係止部とリング体とでファッション性に優れ、アクセサリー性の高い止め具を提供することができる。
【００１９】
本発明の第２の形態は、第１の形態に従属する形態であって、第１及び第２の連結部が線状体によって知恵の輪状に構成されたことを特徴とする止め具である。この構成によって、ユーザ本人だけはワンタッチで取り外しすることができるが、他人は簡単には取り外しが難しく、線状体だけで形成される知恵の輪のような洗練された形状によってファッション性に優れ、アクセサリー性の高い止め具を提供することができる。
【００２０】
本発明の第３の形態は、第１または第２の形態に従属する形態であって、係止部には主柱部が設けられて、該主柱部の一箇所に凹み部が形成され、リング体の断面が該凹み部に一部または全部収容されて、ここを所定の位置となる回転の中心としてリング体を係止部周りに回転したときのみ、嵌め合い及び分離操作が行えることを特徴とする止め具である。この構成によって、リング体を凹み部に収容するだけで簡単に取り外しすることができ、これ以外の状態では取り外しが難しく、引ったくり等の盗難が防止できる。
【００２１】
本発明の第４の形態は、第１〜第３のいずれかの形態に従属する形態であって、リング体と主柱部が互いに逆向きに凸に湾曲した形状を有することを特徴とする止め具である。この構成によって、リング体を凹み部に収容するのが容易で、第１の連結部と第２の連結部間に力がかかった連結状態からは角部が存在するために簡単には取り外しするのが難しく、引ったくり等の盗難を防止することができる。
【００２２】
本発明の第５の形態は、第１〜第４のいずれかの形態に従属する形態であって、係止部と主柱部がＴ字状、鏃状、十字状、星型、樹木状、動物状のいずれかの輪郭の外形形状を有していることを特徴とする止め具である。この構成によって、一筆書き的な洗練された輪郭形状によってファッション性に優れ、アクセサリー性の高い止め具を提供することができる。
【００２３】
本発明の第６の形態は、第１〜第５のいずれかの形態に従属する形態であって、第１又は第２の連結部には、それぞれリング体又は係止体を支持して支持部材に取付けるための取付部が所定の角度で傾斜して設けられていることを特徴とする止め具である。この構成によって、ユーザ本人だけは支持部材間をワンタッチで取り外しすることができるが、他人は取り外しが難しく、取付部が傾斜されているので動きに自在性がある止め具を提供することができる。
【００２４】
（実施の形態１）
以下、本発明の実施の形態１における止め具を図面に基づいて説明する。いわば知恵の輪形態の止め具である。図１は本発明の実施の形態１における止め具の斜視図、図２は本発明の実施の形態１における止め具の連結時の上面図、図３（ａ）は本発明の実施の形態１における止め具の第１の連結部を構成するリング体を正面からみた正面図、図３（ｂ）は（ａ）の第１の連結部のＡ−Ａ断面図、図３（ｃ）は本発明の実施の形態１における止め具の第１の連結部を構成する取付部を正面からみた正面図、図４は本発明の実施の形態１における止め具の第２の連結部を構成する係止部を正面からみた正面図、図５（ａ）は本発明の実施の形態１における止め具の嵌め合い及び分離操作の説明図、図５（ｂ）は本発明の実施の形態１における止め具の凹み部の詳細図である。
【００２５】
図１、図２において、１は本発明の実施の形態１における止め具であり、２は被係止体となるリング体２１（後述）を構成する雌型の第１の連結部、３は一旦連結すると分解抑止体となる係止体３１（後述）を有する雄型の第２の連結部である。連結部３の一方側の係止体３１（分解抑止体となる）に連結体２のリング部分（リング体２１）を挿通し、連結部３の主柱部３３（後述）にこの側の部分に当接し、さらにこの当接位置を所定の操作開始の位置として、ここを中心にリング部分を連結部３の周囲で一定方向に回転（後述する図５（ａ）に示すＤ方向）させ、次いでリング部分をこの主柱周りで９０°回転して引っ掛け（後述する図５（ａ）に示すＥ方向）、係止する。一定方向の回転とは一方側の係止体３１に挿通した状態で、そのまま他方側の係止体３１（分解抑止体）の端部の上を余裕なくぎりぎりに位置で通過できる所定の一方向に回転である。この所定の配置（当接位置）での回転で、いわば唯一の限られたコースを回転させたときのみ連結体２を連結体３に挿通することができ、２つの連結体を連結することができる。図１、図２はこの連結状態を示す。なお、この所定の手順で所定のコースを回転させる操作が本発明における所定の嵌め合い操作であり、分離時には逆のコースを辿る分離操作となる。これについては後述する。
【００２６】
連結体２、連結部３は何れも鋼板や所定幅の鋼板の板材、ワイヤ等の幅または直径が２ｍｍ〜７ｍｍ程度、できれば５ｍｍ幅または直径で知恵の輪状に無端の一体物として構成されている。なお、本発明の線状体はこのような開口が形成された板材若しくは所定幅の板材、線材、ワイヤであり、ステンレス等に代表される金属のほか、樹脂などで構成することもできる。また、強度にもよるが、無端にしないで切れ目が生じたときはそのまま残しておくこともできる。一筆でなく分割して構成してもよい。
【００２７】
次に、この連結部２の詳細構成について説明する。図１、図２、図３（ａ）（ｂ）（ｃ）において、２１は一旦挿通すると連結部３の係止体３１（分解抑止体）と難分解性の連結をするリング体、２２はリング体２１に接続または一体物として構成されリング体２１と８字状のリングを構成する扁平な取付部、２３はリング体２１と取付部２２の接続部分である交差部である。リング体２１、取付部２２は略Ｏ，Ｃ字状、略矩形状、略三角形状、略楕円状等の輪郭を有しており、取付部２２の交差部２３と対向する底辺部分がバッグ等に取付けられる。角部には丸み（曲線部分）が形成される。なお、リング体２１もリングを構成し係止体３１を連結することができるなら、略Ｃ字状、略矩形状、略三角形状、略楕円状等のいずれの輪郭でよい。
【００２８】
なお、リング体２１は単純に二次元的平面構造ではなく、図３（ｂ）（ｃ）に示すようにそのリング体２１先端側が中心軸の方向へ主柱部３３（後述）と反対側へ凸形状（三次元的）に持ち上がって湾曲（取付部２２の平面からシフト）されている。後述するように主柱部３３の側も逆方向に凸形状（三次元的）に湾曲（取付部３２の平面からシフト）されているため、連結部３の主柱部３３とリング体２１を連結したときでも、この２つの反対向きの湾曲が組み合わさることによってリング体２１と主柱部３３の接触部分はほぼ重力の作用線上にきて、止め具１全体の連結部２，３が曲がって位置がずれたりすることによる余計なモーメントや力が作用することはなく、取付部２２、３２の両平面はほぼ平面に位置することになる。バッグ等に取付けてもこの部分に無理な応力がかからず、この部分の耐久性を増すことができる。
【００２９】
続いて、連結部３の詳細構成について説明する。図１、図２、図４において、３１はリング体２１と係合し自由度のある連結状態（リング体２１が主柱部３３を中心に自在に移動可能）を実現し、分解抑止体となる係止部である。３２は係止部３１をバッグ等に取付ける扁平な取付部、３３は係止部３１と取付部３２を接続する主柱部である。なお、係止部３１も単純に二次元的平面構造ではなく、リング体２１の湾曲（シフト）と反対側へ凸形状（三次元的）に持ち上がって湾曲（シフト）されている。リング体２１はその下端付近を係止部３１下側の主柱部３３周りにかけて、連結部３を吊るすことにより、連結部３の荷重（及びバックの場合その本体の重量）が作用し、この部分で係止部３１の下面が交差し、係止される。主柱部３３の湾曲（シフト）とリング体２１の湾曲（シフト）は互いに反対側に凸形状であり、交差付近では両者の接触する点で互いの輪郭（円弧）がほぼ９０°をなして交差して吊り下げる。また、この自由度の高さと連結の柔軟性により取付部３２と取付部２２がほぼ一平面となる。連結体２と連結体３が外れるのは一定のルートで分離するときだけであり、通常の使用状態で外れることはない。
【００３０】
実施の形態１の場合、係止部３１と主柱部３３の輪郭はＴ字状に形成されており、連結部３の全体の輪郭は横にほぼＨ字状である。このほか係止部３１と主柱部３３の輪郭は、鏃（やじり）状、十字状、若しくはこれらの形状を骨格（基本的形状）とする星型、樹木形、動物形、その他、分解抑止体を有する洗練された形状にデザインされるのも好適である。なお、主柱部３３に関して対称とまでは言い難い倒立レ字状、倒立Ｌ字状の輪郭であっても、リング体２１と係止体３１が主柱部３３の両側で係止可能になっていれば、輪郭として採用できる。また、この輪郭の上面に樹木や動物など希望のデザインをあしらった化粧板を施してもよい。このような係止部３１の形状とリング体２１の形状の組合せにより、この形状だけで人の眼を引き、取付具の輪郭は機能美に満ち、簡素な形状ながらファッション性に優れ、アクセサリー性が高く、連結機能、分離機能に優れた止め具１とすることができる。鏃状の係止部３１と主柱部３３については実施の形態２で後述する。
【００３１】
なお、詳細には説明しないが、連結部３の取付部３２は連結部２の取付部２２と同様の構成を有している。また、取付部３２は略Ｏ，Ｃ字状、略矩形状、略三角形状、略楕円状等の輪郭を有し、角部には丸みが形成され、主柱部３３の反対側がバッグ等に取付けられる。取付部３２と主柱部３３は一体に形成されるのが好ましいが、取付部３２に主柱部３３の端部が溶接等で接続されてもよい。
【００３２】
ここで、唯一となる嵌め合い及び分離操作を実現する実施の形態１の係止部３１の具体的構成について説明する。図４において、３４は係止体３１、取付部３２、主柱部３３に形成されたスロット部である。アクセサリー性を増すためと重量を減らすために空けられたもので、必ずしも設ける必要はない。また、３５，３６，３７は、実施の形態１における所定の嵌め合い及び分離操作を実現するための障害部である。障害部３５と障害部３５，３７は係止部３１（分解抑止体）の輪郭に従って所定幅に形成されるだけでなく、先端で分解をできるだけ抑制するためにストッパーとなるように幅を拡大して形成される。
【００３３】
この障害部３５は、輪郭がＴ字で所定幅の係止部３１（分解抑止体）の先端の幅上部にあって連結及びその解除の第１の障害障害となる箇所であり、図５（ａ）に示すようにリング体２２の交差部２３脇を主柱部３３の側面の所定位置（本発明の所定の位置、実施の形態１では凹み部３８）に配置してリング体２１を係止体３１の一方側に挿通して所定の方向に回転（図５（ａ）に示すＤ方向）したとき、リング体２１の交差部２３脇の内周面が他方側の障害部３５を通過することが可能な輪郭、また別の見方をすればこれを可能にするリングの内径に形成されている。リング体２２の交差部２３脇を主柱部３３のその他の位置（凹み部３８以外の位置）に配置してリング体２１を回転したとき及びＤ方向以外の方向に回転したときには、リング体２２の内周面が障害部３５を通過することができない。すなわち、交差部２３脇を主柱部３３の所定位置に配置して回転するという唯一のルートで嵌め合い及び分離操作が実現できる。なお、障害部３５とリング体２２との間ではほとんど余裕がない間隙で回転が可能になる。
【００３４】
また、障害部３６は、輪郭がＴ字で所定幅の係止部３１（分解抑止体）の先端の幅下部にあって連結及びその解除の第２の障害となる箇所であり、図５（ａ）に示すようにリング体２２の交差部２３脇を主柱部３３の側面の所定位置（凹み部３８）に配置してリング体２１を係止体３１の一方側に挿通して回転（図５（ａ）に示すＤ方向）し、障害部３５の障害を通過した後、さらにリング体２１の交差部２３脇の内周面が障害部３６を通過することが可能な輪郭、言い換えれば、これを可能にするリングの内径に形成されている。リング体２２の交差部２３脇を主柱部３３のその他の位置（凹み部３８以外の位置）に配置してリング体２１を回転したとき及びＤ方向以外の方向に回転したときには、リング体２２の内周面が障害部３６を通過することができない。すなわち、交差部２３脇を主柱部３３の所定位置に配置して回転するという唯一のルートで嵌め合い及び分離操作が実現できる。リング体２１と障害部３５，３６はどちらか一方をより余裕がない障害の程度の大きい形状にすることもできるが、同一間隙とするのがよい。
【００３５】
そして、図４、図５（ａ）（ｂ）において、３７はリング体２２が一旦挿通後主柱部３３回りで移動しても係止部３１から分解されないようにするための第３の障害部である。また、図４、図５（ａ）（ｂ）の３８は、リング体２１の交差部２３脇を主柱部３３の所定位置（凹み部３８）に配置し、リング体２１を回転（Ｄ方向）したときリング先端の内周面が障害部３７，３５，３６上を通過し、同時に、交差部２３脇を主柱部３３のその他の位置（凹み部３８以外の位置）に配置したのでは障害部３７，３５，３６上を通過することができないようにする凹み部である。図５（ｂ）に示すように、この凹み部３８内にリング体２１の先端部分の断面が一部または全部収容される。この凹み部３８にリング体２１の交差部２３脇を収容してＤ方向の回転させれば、リング体２１は第１、第２の障害（障害部３５，３６）を通過して係止部３１に自由度をもって連結状態となる。また、一旦連結後、連結状態でリング体２２が係止部３１との間で移動しても、第３の障害（障害部３７）、さらには第１、第２の障害（障害部３５，３６）の存在で分離が食い止められる。
【００３６】
逆に、この連結状態から連結体２、連結部３を分離するときの説明を行う。このときはリング体２１の交差部２３脇を凹み部３８（本発明の所定の分解時の位置）に収容し、リング体２１を図５（ａ）に示すようにゆっくりと第３、第２、第１の障害（障害部３７，３６，３５）上を通過して回転（Ｄの反対方向）させる。この凹み部３８に収容したときだけ、連結体２と連結部３を分離することができる。実施の形態１の場合、分離のための障害が連結のための障害の数より多い特徴をもっている。引ったくり等にとくに有効な特徴である。実施の形態１の止め具１の構成と機能を知っているユーザは、簡単に連結体２と連結部３を分解することができるが、この止め具１の構成と機能を知らない第三者はこの止め具１を分解することは知恵の輪と同様に難しい。さらに、引ったくりなど、この構成と機能を知らない人間が急激に引っ張ってもこの止め具１は外れない。そして、第１、第２、第３の障害（障害部３５，３６，３７）は、偶然の動きで分離しかかっても、全ての障害を乗り越える確率は０に近く、完全な分離は障害部で確実に遮断され、盗難防止が可能になる。なお、これらの障害は実施の形態１においては３箇所だが、１箇所以上設けられておれば足り、ただ確実性を考えると好適には２箇所以上設けるのが適当である。これが上述した係止部３１と主柱部３３の輪郭に相当する。
【００３７】
以上説明したように実施の形態１の止め具は、本人だけはワンタッチで取り外しすることができるが、他人は簡単には取り外しが難しく、洗練された機能美によってファッション性に優れ、これだけで眼を引き、その存在を主張するアクセサリー性の高い止め具を提供することができる。
【００３８】
（実施の形態２）
以下、本発明の実施の形態２における止め具を図面に基づいて説明する。基本的には実施の形態１の止め具と同様であり、第２の連結体が鏃（やじり）形状の場合である。従って、実施の形態２の止め具の同一符号は実施の形態１と同一構成を示しており、詳細は実施の形態１に説明を譲り、図１、２、３、５（ａ）（ｂ）は実施の形態２においても参照する。図６は本発明の実施の形態２における止め具の連結時の上面図、図７（ａ）は本発明の実施の形態２における止め具の第１の連結部を構成するリング体を正面からみた正面図、図７（ｂ）は（ａ）の第１の連結部のＡ−Ａ断面図、図７（ｃ）は本発明の実施の形態２における止め具の第１の連結部を構成する取付部を正面からみた正面図である。
【００３９】
図６、図７（ａ）（ｂ）（ｃ）において、第１の連結体２の構成は実施の形態１と同様である。２１はリング体、２２は取付部、２３は交差部である。
【００４０】
そして、５は鏃状（いわば↑形状）の分解抑止体を有する雄型の連結部である。鏃状の形状をしている点に特徴がある。連結部５の一方側にリング体２１を挿通し、連結部５の主柱部５３（後述）のこの側の部分に当接し、さらにこの当接位置を中心にこれを連結部３の周囲で一定方向に回転（図５（ａ）のＤ方向を参照）させ、次いでリング体２１をこの主柱部５３周りで９０°回転して引っ掛け（図５（ａ）のＥ方向を参照）、係止する。一定方向の回転とは一方側の係止体３１に挿通した状態で、そのまま他方側の係止体３１（分解抑止体）の端部の上を余裕なくぎりぎりに位置で通過できる所定の一方向に回転である。この所定の配置（当接位置）での回転で、いわば唯一の限られたコースを回転させたときのみ連結体２を連結体５に挿通することができ、２つの連結体を連結することができる。６はこの連結状態を示す。なお、この所定の手順で所定のコースを回転させる操作が本発明における所定の嵌め合い操作であり、分離時には逆のコースを辿る分離操作となる。これについては後述する。
【００４１】
リング体２１は単純に二次元的平面構造ではなく、図３（ｂ）（ｃ）に示すようにその中心軸の方向へ主柱部５３（後述）と反対側へ凸形状（三次元的）に湾曲（取付部２２の平面からシフト）されている。後述するように主柱部５３の側も逆方向に凸形状（三次元的）に湾曲（取付部５２の平面からシフト）されているため、連結部５の主柱部５３とリング体２１を連結したときでも、この２つの反対向きの湾曲が組み合わさることによってリング体２１と主柱部３３の接触部分はほぼ重力の作用線上にきて、止め具１全体の連結部２，３が曲がって位置がずれたりすることによる余計なモーメントや力が作用することはなく、取付部２２、３２の両平面はほぼ平面に位置することになる。バッグ等に取付けてもこの部分に無理な応力がかからず、この部分の耐久性を増すことができる。
【００４２】
続いて、実施の形態２の連結部５の詳細構成について説明する。実施の形態２の連結部５は鏃状の形状をしており、鏃の頂点がきわめて難度の高い第１の障害部となる点である。図６、図７（ａ）（ｂ）（ｃ）において、５１は鏃状であって、リング体２１と係合し自由度のある連結状態（リング体２１が主柱部３３を中心に自在に移動可能）を実現し、分解抑止体となる係止部である。５２は係止部５１をバッグ等に取付ける扁平な取付部、５３は係止部５１と取付部５２を接続する主柱部である。係止部５１も単純に二次元的平面構造ではなく、リング体２１の湾曲（シフト）と反対側へ凸形状（三次元的）に持ち上がって湾曲（取付部５２の平面から中央がシフト）されている。リング体２１はその先端付近を係止部５１下側の主柱部５３周りにかけて、連結部３を吊るすことにより、連結部５の荷重（及びバックの場合その本体の重量）が作用し、この部分で係止部３１の下面が交差し、係止される。主柱部５３の湾曲とリング体２１の湾曲は互いに反対側に凸であり、両者が接触する点では互いの輪郭（円弧）が９０°をなして吊り下げる。また、この連結の柔軟性により取付部５２と取付部２２がほぼ一平面となる。連結体２と連結体５が外れるのは一定のルートで分離するときだけであり、通常の使用状態で外れることはない。
【００４３】
実施の形態２の連結部５における取付部５２、主柱部５３輪郭は鏃状であり、このような係止部５１とリング体２１の形状の組合せにより、この形状だけで人の眼を引き、機能美に満ち、簡素な形状ながらファッション性に優れ、アクセサリー性が高く、連結機能、分離機能に優れた止め具１とすることができる。
【００４４】
図６、図７（ａ）（ｂ）（ｃ）に示す５４は係止体５１、取付部５２、主柱部５３に形成されたスロット部である。必ずしも設ける必要はない。５５，５６，５９は、実施の形態１における所定の嵌め合い及び分離操作を実現するための障害部である。５８はリング体２１の交差部２３脇を主柱部５３の所定位置に配置し、リング体２１を回転したときリング先端の内周面が障害部５９，５５，５６を通過し、同時に、交差部２３脇を主柱部３３の他の位置に配置したのでは障害部５９，５５，５６上を通過することができないようにする凹み部である。
【００４５】
この障害部５９は鏃の頂点位置にあって連結及びその解除の第１の障害となる箇所であり、図７（ａ）に示すようにリング体２２の交差部２３脇を主柱部３３の側面の所定位置に配置してリング体２１を係止体５１の分解抑止体に挿通して回転したとき、リング体２１の交差部２３脇の内周面が障害部５５を通過することが可能な輪郭、また別の見方をすればこれを可能にするリングの直径に形成されている。すなわち、交差部２３脇を主柱部３３の所定位置に配置して回転するという唯一のルートで嵌め合い及び分離操作が実現できる。なお、障害部５５とリング体２２との間ではほとんど余裕がない間隙で回転が可能になる。
【００４６】
また、この障害部５５は鏃状の分解抑止体の先端上部にあって連結及びその解除の第２の障害障害となる箇所であり、図７（ａ）に示すようにリング体２２の交差部２３脇を主柱部３３の側面の所定位置に配置してリング体２１を係止体５１の分解抑止体に挿通して回転したとき、リング体２１の交差部２３脇の内周面が障害部５５を通過することが可能な輪郭、また別の見方をすればこれを可能にするリングの直径に形成されている。リング体２２の交差部２３脇を主柱部５３の他の位置に配置してリング体２１を回転したときには、リング体２２の内周面が障害部５５を通過することができない。すなわち、交差部２３脇を主柱部５３の所定位置に配置して回転するという唯一のルートで嵌め合い及び分離操作が実現できる。なお、障害部５５とリング体２２との間ではほとんど余裕がない間隙で回転が可能になる。
【００４７】
そして、障害部５６は鏃状の分解抑止体の先端下部にあって連結及びその解除の第２の障害となる箇所であり、図７（ａ）に示すようにリング体２２の交差部２３脇を主柱部５３の側面の所定位置に配置してリング体２１を係止体５１の分解抑止体に挿通して回転し、障害部５５の障害を通過した後、さらにリング体２１の交差部２３脇の内周面が障害部５６を通過することが可能な輪郭、言い換えれば、これを可能にするリングの直径に形成されている。リング体２２の交差部２３脇を主柱部５３の他の位置に配置してリング体２１を回転したときには、リング体２２の内周面が障害部５６を通過することができない。すなわち、交差部２３脇を主柱部５３の所定位置に配置して回転するという唯一のルートで嵌め合い及び分離操作が実現できる。リング体２１と障害部５５，５６はどちらか一方をより余裕がない障害の高い形状にすることもできるが、同一の間隙で回転させるのがよい。
【００４８】
逆に、この連結状態から第１の連結体２、第２の連結部５を分離するときの説明を行う。このときはリング体２１の交差部２３脇を凹み部５８に収容し、リング体２１を図５（ａ）に示すようにゆっくりと第３、第２、第１の障害（障害部５６，５５，５９）上を通過して回転させる。この凹み部５８に収容したときだけ、第１の連結体２と第２の連結部５を分離することができる。実施の形態２の止め具１の構成と機能を知っているユーザは、簡単に連結体２と連結部３を分解することができるが、この止め具１の構成と機能を知らない第三者はこの止め具１を分解することは知恵の輪と同様に難しい。これに対し、この止め具１の構成と機能を知らない第三者にはこの止め具１を分解することは知恵の輪と同様に難しい。さらに、引ったくりなど、この構成と機能を知らない人間が急激に引っ張ってもこの止め具１は外れない。そして、第１、第２、第３の障害（障害部５６，５５，５９）は、偶然の動きで分離しかかっても、全ての障害を乗り越える確率は０に近く、完全な分離は障害で確実に遮断され、盗難防止が可能になる。なお、これらの障害は実施の形態１においては３箇所だが、１箇所以上設けられておれば足り、ただ確実性を考えると好適には２箇所以上設けるのが適当である。これが上述した係止部５１と主柱部５３の輪郭に相当する。
【００４９】
以上説明したように実施の形態２の止め具は、連結部５が鏃状の形状をしており、鏃の頂点がきわめて難度の高い第１の障害部となる点で、障害部の数が増加すると共に機能美に優れ、しかも本人だけはワンタッチで取り外しすることができるが、他人は簡単には取り外しが難しく、洗練された鏃状の機能美によってファッション性に優れ、これだけで眼を引き、その存在を主張するアクセサリー性の高い止め具を提供することができる。
【００５０】
（実施の形態３）
本発明の実施の形態１，２における止め具を使用した実施の形態３のバッグを図面に基づいて説明する。従って、実施の形態３においても実施の形態１，２の説明、図１〜図５（ａ）（ｂ）（ｃ）、図６、図７（ａ）（ｂ）（ｃ）を参照する。図８（ａ）は本発明の実施の形態３におけるバッグの第１の使用形態の説明図、図８（ｂ）は本発明の実施の形態３におけるバッグの第２の使用形態の説明図、図８（ｃ）は本発明の実施の形態３におけるバッグの第３の使用形態の説明図である。なお、図８（ａ）（ｂ）（ｃ）においては実施の形態１の止め具１を用いて説明しているが、実施の形態２の止め具１でもまったく同様である。
【００５１】
図８（ａ）（ｂ）（ｃ）において、４は実施の形態２におけるバッグである。このバッグ４はフォーマルなバッグでも、カジュアルなバッグ、また柔軟な布などで構成された買い物袋などの日常的な袋状のバッグでもよい。４１は被収容物を収容できるバッグ本体、４２はバッグ本体４１を吊り下げるための取っ手である。バッグ４は取っ手４２の止め具１がバッグの口の対向する縁に２対同一のものがそれぞれ対向して設けられている。この連結先を変えるだけで図８（ａ）（ｂ）（ｃ）に示す何れの形態にでも自在に変化させることができる。止め具１の取付部２２，３２は第１の連結体２、第２の連結部３がバッグ４に対して回転を許すように保持される。
【００５２】
図８（ａ）は、ユーザが携行するのに便利なように取っ手４２を取付けた場合である。２本並行して取付けられた取っ手４２をユーザが横断する向きに把持すればよい。さらに、このような取っ手４２の取付けが効果的な場合は、人が携行するだけには限られず、乗車などしたとき自動車のシートの背もたれなどで、シートの人間の頭部を支える部分にバッグ４を吊り下げる場合などもある。頭を支える部分の２本の支持棒に２本の取っ手４２を引っ掛けることで、バッグ４を自動車のシートの裏側に吊るすことができる。従来のバッグ４でこのような使い方は難しかった。
【００５３】
また、図８（ｂ）は、上述した場合と別の形でユーザが携行するのに便利な取っ手４２の取付け方を示す。この場合取っ手４２はバッグ４を横断するので、携行するには腕を取っ手４２に通して持てばよい。そして、この取っ手４２の取付けが最も有効な場合は、自転車や原動機付自転車などの荷物入れ（かご）内にバッグ４を収容して、バッグ４とハンドルとを分離不能にする場合である。取っ手４２を左右のハンドルにそれぞれ通し、バッグ本体４１は荷物入れ内に収容する。この場合、引ったくり等の犯罪に巻き込まれることはない。
【００５４】
さらに、図８（ｃ）は、ベビーカーのように手押し部分が車体から立ち上がった２本のパイプに横木状に設けられた場合に有効な取付け方を示す。図８（ｂ）のような取付け方では手押し部分の把持箇所にバッグ４の取っ手４が２本存在することになり、車体を押すのに邪魔になる。このような場合、取っ手４２の止め具１の連結先をクロスさせ、取っ手４２を襷（たすき）掛け状に渡せば、取っ手４を支持する箇所は１箇所となる。この場合もバッグ４はベビーカーに分離不能に連結されており、引ったくり等の犯罪に巻き込まれることはない。なお、ベビーカーに対して図８（ｂ）のような取っ手４２の付け方をしてよいのは言うまでもない。
【００５５】
以上説明したように実施の形態１のバッグは、止め具を取っ手と本体との間の連結に用いることで、ワンタッチで取っ手を取り外し可能でありながら、引ったくりなどに強く、バッグの用途に応じて形態を変えることが可能で機能性に優れ、ファッション性が高いバッグを提供することができる。
【産業上の利用可能性】
【００５６】
本発明は、本人はワンタッチで取り外しできるが他人は取り外しが難しいアクセサリー性の高い止め具と、これを用いたバッグに適用できる。
【図面の簡単な説明】
【００５７】
【図１】本発明の実施の形態１における止め具の斜視図
【図２】本発明の実施の形態１における止め具の連結時の上面図
【図３】（ａ）本発明の実施の形態１における止め具の第１の連結部を構成するリング体を正面からみた正面図、（ｂ）（ａ）の第１の連結部のＡ−Ａ断面図、（ｃ）本発明の実施の形態１における止め具の第１の連結部を構成する取付部を正面からみた正面図
【図４】本発明の実施の形態１における止め具の第２の連結部を構成する係止部を正面からみた正面図
【図５】（ａ）本発明の実施の形態１における止め具の嵌め合い及び分離操作の説明図、（ｂ）本発明の実施の形態１における止め具の凹み部の詳細図
【図６】本発明の実施の形態２における止め具の連結時の上面図
【図７】図７（ａ）は本発明の実施の形態２における止め具の第１の連結部を構成するリング体を正面からみた正面図、図７（ｂ）は（ａ）の第１の連結部のＡ−Ａ断面図、図７（ｃ）は本発明の実施の形態２における止め具の第１の連結部を構成する取付部を正面からみた正面図
【図８】（ａ）本発明の実施の形態３におけるバッグの第１の使用形態の説明図、（ｂ）本発明の実施の形態３におけるバッグの第２の使用形態の説明図、（ｃ）本発明の実施の形態３におけるバッグの第３の使用形態の説明図
【符号の説明】
【００５８】
１    止め具
２    第１の連結部
３，５    第２の連結部
２１    リング体
２２    取付部
２３    交差部
３１，５１    係止部
３２，５２    取付部
３３，５３    主柱部
３４，５４    スロット部
３５，３６，３７，５５，５６，５９    障害部
３８，５８    凹み部
４    バッグ
４１    バッグ本体
【図１】
2009035262.tif 000003
【図２】
2009035262.tif 000004
【図３】
2009035262.tif 000005
【図４】
2009035262.tif 000006
【図５】
2009035262.tif 000007
【図６】
2009035262.tif 000008
【図７】
2009035262.tif 000009
【図８】
2009035262.tif 000010